(57)【要約】【課題】情報を随時に更新でき、情報の更新に容易に気づくことができる。【解決手段】情報提供システム１０は、ＩＣカード１１，管理装置１２，自動改札機１３からなる。受付リーダライタ４０にＩＣカード１１をかざすと、客の個人情報やシリアルナンバがＩＣカード１１のメモリに記憶され、カードキーとして客に貸与される。チェックアウトする際にＩＣカード１１を受付リーダライタ４０にかざすと、嗜好等情報を除く個人情報等が消去され、客に引き渡される。ＩＣカード１１をカード入れ１８に入れ、これを自動改札機１３の改札リーダライタ４６上にかざすと、ＩＣカード１１から読み込まれた嗜好等情報が管理装置１２に送られ、対応するサービス情報が改札リーダライタ４６を介してＩＣカード１１に入力される。カード入れ１８を開くと、有機ＥＬシートが発光し、ＩＣカード１１をカード入れ１８から取り出すと、有機ＥＬパネルにサービス情報が表示される。【選択図】図１
2010102571.tif 000002
【特許請求の範囲】
【請求項１】
外部と非接触で通信を行なう非接触通信部と、
この非接触通信部を介して外部から得られる情報を記憶する記憶部と、
発光することにより前記情報を表示する平面表示部と、
前記平面表示部に電源を供給する電池と、
前記平面表示部の駆動を制御する制御部と
をカード本体に設けたことを特徴とする情報表示カード。
【請求項２】
前記平面表示部が前記情報の表示を開始してからの経過時間を計測する時間計測部を前記カード本体に設け、前記制御部は、前記経過時間が所定時間に達した時点で、前記平面表示部の駆動を停止することを特徴とする請求項１記載の情報表示カード。
【請求項３】
前記平面表示部とは別に平面状をした発光体を前記カード本体の表面に設けるとともに、光を感知する一対の光センサを、前記カード本体を所定のカード入れに入れた状態で一方の光センサのみが露呈されるように、前記カード本体の表面に設け、前記制御部は、前記一対の光センサのうち一方のみが光を感知した時点から前記発光体を発光させるとともに、両方の光センサが光を感知した時点から前記平面表示部が前記情報の表示を開始するように制御することを特徴とする請求項２記載の情報表示カード。
【請求項４】
前記平面表示部は、有機ＥＬからなることを特徴とする請求項１ないし３いずれか１項記載の情報表示カード。
【請求項５】
前記情報は、所定の情報提供装置に設けられた非接触通信部を介して得ることを特徴とする請求項１ないし４いずれか１項記載の情報表示カード。
【請求項６】
前記情報提供装置は、駅構内に設置された自動改札機であることを特徴とする請求項５記載の情報表示カード。
【請求項７】
前記請求項１ないし４いずれか１項記載の情報表示カードと、
前記情報を配信する情報配信サーバと、
この情報配信サーバから前記情報を受信する通信部と、前記情報を記憶する装置側記憶部と、前記情報表示カードの非接触通信部と非接触で通信し、前記情報を前記情報表示カードの非接触通信部へ向けて発信する装置側非接触通信部とを備えた情報提供装置と
からなることを特徴とする情報提供システム。
【請求項８】
前記情報提供装置は、駅構内に設置された自動改札機であることを特徴とする請求項７記載の情報提供システム。
【発明の詳細な説明】
【技術分野】
【０００１】
本発明は、広告等の情報を表示する情報表示カード及び情報提供システムに関するものである。
【背景技術】
【０００２】
近年のホテル等の宿泊施設では、客室の施解錠を行なう金属製のルームキーの代わりに、カード式のカードキーが多く利用されるようになってきている。このカードキーは、客室の扉の鍵を解錠するためのキー情報などが磁気データとして記録されており、客室の扉に設けられたカードキーの挿入口にカードキーを挿入することで、扉を解錠することができる。
【０００３】
このようなカードキーに、データ書き換えが可能な可変表示領域を設け、客室に設置されたカードドライブ装置にカードキーを挿入すると、カードドライブ装置がサーバと送受信し、各種の情報がカードドライブ装置の表示部に表示されるとともに、カードキーの可変表示領域に表示された情報がカードドライブ装置によって書き換えられ、カードキーの可変表示領域に、宿泊施設での利用明細やホテル周辺情報や、周辺施設からホテル側に依頼された広告などの情報が表示される客室情報サービスシステムが知られている（特許文献１）。
【特許文献１】特開２００６−１８５３７８号公報
【発明の開示】
【発明が解決しようとする課題】
【０００４】
上記特許文献１記載の情報サービスシステムでは、カードキーの可変表示領域をわざわざ見ないかぎり、情報が更新されていても気づかないという欠点がある。また、カードドライブ装置が設置された宿泊施設内でのみ情報を更新でき、宿泊施設から離れた場所やチェックアウトした後では、情報を更新することができないという欠点がある。
【０００５】
本発明は、上記のような問題点を解決するためになされたもので、情報を随時更新することができるとともに、情報が更新されたことに容易に気づくことができる情報表示カード及び情報提供システムを提供することを目的とする。
【課題を解決するための手段】
【０００６】
本発明の情報表示カードは、外部と非接触で通信を行なう非接触通信部と、この非接触通信部を介して外部から得られる情報を記憶する記憶部と、発光することにより前記情報を表示する平面表示部と、前記平面表示部に電源を供給する電池と、前記平面表示部の駆動を制御する制御部とをカード本体に設けたことを特徴とする。
【０００７】
前記平面表示部が前記情報の表示を開始してからの経過時間を計測する時間計測部を前記カード本体に設け、前記制御部は、前記経過時間が所定時間に達した時点で、前記平面表示部の駆動を停止することが好ましい。
【０００８】
前記平面表示部とは別に平面状をした発光体を前記カード本体の表面に設けるとともに、光を感知する一対の光センサを、前記カード本体を所定のカード入れに入れた状態で一方の光センサのみが露呈されるように、前記カード本体の表面に設け、前記制御部は、前記一対の光センサのうち一方のみが光を感知した時点から前記発光体を発光させるとともに、両方の光センサが光を感知した時点から前記平面表示部が前記情報の表示を開始するように制御するこことが好ましい。また、前記平面表示部は、有機ＥＬからなることが好ましい。
【０００９】
前記情報は、所定の情報提供装置に設けられた非接触通信部を介して得ることが好ましい。また、前記情報提供装置は、駅構内に設置された自動改札機であることが好ましい。
【００１０】
本発明の情報提供システムは、前記請求項１ないし４いずれか１項記載の情報表示カードと、前記情報を配信する情報配信サーバと、この情報配信サーバから前記情報を受信する通信部と、前記情報を記憶する装置側記憶部と、前記情報表示カードの非接触通信部と非接触で通信し、前記情報を前記情報表示カードの非接触通信部へ向けて発信する装置側非接触通信部とを備えた情報提供装置とからなることを特徴とする。
【００１１】
前記情報提供装置は、駅構内に設置された自動改札機であることが好ましい。
【発明の効果】
【００１２】
本発明によれば、外部から非接触通信で情報が得られ、かつ情報が、発光することにより表示する平面表示部に表示されるので、情報を随時更新することができるとともに、情報が更新されたことに容易に気がつくことができる。
【発明を実施するための最良の形態】
【００１３】
本発明の実施形態である情報提供システム１０は、図１に示すように、ホテル等の宿泊施設から提供されるＩＣカード１１（情報表示カード）と、宿泊施設に設置された管理装置１２（情報配信サーバ）と、駅構内の改札に設置され、非接触で乗車運賃の自動支払い等を行なうＩＣカードなどを受け付け、改札処理を行う自動改札機１３とからなり、ＩＣカード１１を宿泊施設でカードキーとして使った後は、自動改札機１３にかざす、もしくはタッチする（以下、煩雑になるため、単に「かざす」という）ことにより、ＩＣカード１１の平面表示部に表示される広告等の情報を更新するものである。以下、本発明の実施形態について詳しく説明する。
【００１４】
ＩＣカード１１は、客が宿泊施設に到着し、フロントで受付を済ますと、カードキーとしてフロントから提供される。ＩＣカード１１の外観を示す図２において、ＩＣカード１１は、一般に普及している矩形状のカードと同様の形状及びサイズ（約５４ｍｍ×８５ｍｍ）をしている。
【００１５】
ＩＣカード１１の表面１１ａの上下縁部には、縁の長手方向に沿って細長い平面発光体である有機ＥＬシート１５がそれぞれ貼着され、対角線上の隅角部には、それぞれ光センサ１６が設けられている。このため、図３に示すように、ＩＣカード１１を財布等のカード入れ１８のポケット１８ａに挿入すると、挿入方向に拠らず、一方の有機ＥＬシート１５及び光センサ１６がポケット１８ａの縁から外に露呈される。
【００１６】
別のポケット１８ｂには、乗車運賃支払い用のＩＣカード１９が収納されている。このため、ＩＣカード１１，１９が互いに干渉しないように、ＩＣカード１１，１９及び自動改札機１３は、全てがアンチコリジョンに対応している。このアンチコリジョンはＩＳＯ／ＩＥＣ１４４４３−３に提示されている。
【００１７】
図２に戻って、表面１１ａの中央部には、ドットマトリクス型の有機ＥＬパネル２１（平面表示部）が設けられている。この有機ＥＬパネル２１には、各種のサービス情報、例えば「○○○旅館  期間限定  特別価格  ８月１日〜９月１５日  お一人様：１５，０００円」が、書き換え自在に表示される。
【００１８】
ＩＣカード１１は、図４に示すように、三層構造をしており、中間層２３を表面１１ａ側の上層２４と、裏面１１ｂ側の下層２５とでサンドイッチ状態に挟んだ構成になっている。上層２４，下層２５は、いずれも中間層２３を保護する薄い樹脂層であり、上層２４は、有機ＥＬシート１５，有機ＥＬパネル２１及び光センサ１６に対応する部分のみが透明で他の部分は不透明の樹脂、下層２５は、不透明の樹脂から、それぞれ形成されている。
【００１９】
中間層２３には、図５に示すように、有機ＥＬシート１５，有機ＥＬパネル２１及び光センサ１６の他、ＩＣカード１１全体を制御する制御部２６、これに電力を供給する電源である電池２７、制御部２６が情報を書き込んだり参照するＥＥＰＲＯＭ等の不揮発性のメモリ２８（記憶部）、外部のリーダライタと非接触、例えば離間距離が１０ｃｍ程度の距離で通信を行なう非接触通信部２９、及び有機ＥＬパネル２１が情報の表示を開始してからの経過時間を計測するタイマ３０（時間計測部）が設けられている。
【００２０】
一方の光センサ１６が光を感知した時点から、制御部２６は、有機ＥＬシート１５を駆動してこれを発光させ、客の注意を惹き付ける。また、両方の光センサ１６が光を感知した時点から、制御部２６は、有機ＥＬパネル２１を駆動してサービス情報の表示を開始すると同時に、タイマ３０を作動させる。このタイマ３０による計測時間が、例えば３０秒に達した時に、制御部２６は、有機ＥＬシート１５及び有機ＥＬパネル２１の駆動を停止する。これにより、電池２７の消耗が防止される。また、非接触通信部２９としては、周知の無線タグを用いてもよい。
【００２１】
図１に戻って、管理装置１２は、例えばパーソナルコンピュータで構成されており、これにアプリケーションソフトをインストールする等して、認証登録部３３、データベース（ＤＢ）３４、使用制御部３５として機能する。また、管理装置１２には、キーボード３６と、モデム等の通信部３７とが接続されている。
【００２２】
フロントの係員は、客がチェックインする際に、客に客記録用紙を渡し、これに客の氏名，性別，年齢，住所，趣味，嗜好等の個人情報を記載してもらう。フロントの係員は、この客記録用紙に基づいて、キーボード３６を操作し、客の個人情報を管理装置１２に入力すると、認証登録部３３は、○○○旅館という宿泊施設の名称、客の個人情報の他、ＩＣカード１１をカードキーとして使用するためのキー情報であるシリアルナンバと客が宿泊する客室の客室番号とを対応付けて、宿泊管理情報３８としてデータベース３４に登録する。データベース３４には、宿泊管理情報３８の他に、客に知らせたい広告等の情報であるサービス情報３９等が記憶されている。
【００２３】
続いて、フロントの係員が、新しいＩＣカード１１を、管理装置１２に接続された非接触型の受付リーダライタ４０にかざす。これにより、ＩＣカード１１の非接触通信部２９と受付リーダライタ４０とが非接触で通信を行ない、制御部２６は、受付リーダライタ４０から読み込まれた○○○旅館の名称、客の個人情報及びシリアルナンバをメモリ２８に記憶する。この後、フロントの係員は、ＩＣカード１１をカードキーとして客に貸与する。
【００２４】
使用制御部３５には、客室のドア４２に設けられた施錠装置４３と、客室の外のドア４２近傍に設けられた非接触型の客室リーダライタ４４とが接続されている。施錠装置４３は、例えば電磁式の鍵であり、通常はドア４２を施錠した状態にして開扉を禁止し、使用制御部３５からの許可信号に応答して解錠して開扉を許容する。
【００２５】
客室リーダライタ４４にＩＣカード１１をかざすと、ＩＣカード１１のメモリ２８に記憶された○○○旅館の名称、客の個人情報及びシリアルナンバが客室リーダライタ４４に読み取られ、これが使用制御部３５に送られる。使用制御部３５は、データベース３４の宿泊管理情報３８を参照して、客室リーダライタ４４で読み取られたシリアルナンバが、客室リーダライタ４４が設置された客室の客室番号に対応しているか否かを判定する。
【００２６】
使用制御部３５は、シリアルナンバと客室番号とが対応していると判定した場合、施錠装置４３に許可信号を送って、ドア４２の解錠を行ない、対応していないと判定した場合、施錠装置４３に不許可信号を送って、ドア４２を施錠したまま、施錠装置４３に設けられた液晶パネル等の表示部に、例えば「客室番号をご確認下さい」等の警告を表示する。
【００２７】
また、ＩＣカード１１のシリアルナンバが客室番号に対応している場合、使用制御部３５は、データベース３４のサービス情報３９を参照して、客の個人情報のうちの性別，年齢，趣味，嗜好に対応したサービス情報を抽出して、客室リーダライタ４４に送る。これにより、客室リーダライタ４４から非接触通信部２９を介してメモリ２８にサービス情報が書き込まれるとともに、制御部２６により有機ＥＬパネル２１にサービス情報が表示される。この有機ＥＬパネル２１がサービス情報の表示を開始してからの経過時間は、タイマ３０によって計測され、例えば３０秒経過した時点で、制御部２６によって、有機ＥＬパネル２１によるサービス情報の表示が停止される。
【００２８】
客がチェックアウトする際には、フロントの係員は、客からＩＣカード１１を受け取り、キーボード３６を操作して宿泊料金等の精算を行なってから、受付リーダライタ４０にかざす。これにより、性別，年齢，趣味，嗜好を除く客の個人情報（客を特定できるような氏名等の個人情報）と、シリアルナンバとが、ＩＣカード１１のメモリ２８から消去される。これにより、例えばＩＣカード１１を紛失した場合でも、客の個人情報が第三者に漏れる恐れがなくなる。以下、メモリ２８に残された、これだけでは客個人を特定することはできない、○○○旅館の名称，客の性別，年齢，趣味，嗜好をＩＣカード１１の嗜好等情報という。
【００２９】
この後、フロントの係員は、客がＩＣカード１１を自動改札機１３の改札リーダライタ４６上にかざすことにより、ＩＣカード１１の有機ＥＬパネル２１に表示されるサービス情報が随時更新され、有益なサービス情報が得られる旨を客に説明して、ＩＣカード１１を受け取ってもらう。
【００３０】
自動改札機１３には、改札リーダライタ４６の他、通信網、例えばインターネット４７を介して管理装置１２の通信部３７と通信を行なう通信部４８と、管理装置１２から送られてきたサービス情報等を記憶するＥＥＰＲＯＭ等の不揮発性のメモリ４９と、改札リーダライタ４６，通信部４８，メモリ４９等を制御する制御部５０とが設けられている。
【００３１】
客は、受け取ったＩＣカード１１を、運賃支払い用のＩＣカード１９を入れてあるカード入れ１８のポケット１８ａに入れる。駅の自動改札機１３を通過する際は、必ずカード入れ１８を自動改札機１３の改札リーダライタ４６上にかざすから、必然的に、自動改札機１３の改札リーダライタ４６上にＩＣカード１１をかざすことになる。
【００３２】
管理装置１２は、インターネット４７を介して、予め契約してある最寄り駅や客の多くが居住している地域の駅に設置されている自動改札機１３と接続されている。最寄り駅以外の駅の選定は、客が○○○旅館にチェックインした時に得られた客の個人情報に基づいて行なわれる。
【００３３】
カード入れ１８を自動改札機１３の改札リーダライタ４６の上にかざすと、ＩＣカード１１から嗜好等情報が読み取られ、通信部４８及びインターネット４７を介して、管理装置１２に送られる。管理装置１２は、ＩＣカード１１の嗜好等情報に基づいて、データベース３４のサービス情報３９を検索し、○○○旅館が提供している割引情報や、他の店から提供されている性別や年齢等に対応した広告等のサービス情報をインターネット４７を介して自動改札機１３に送る。他の店から提供される広告等のサービス情報については、情報配信サーバ機能を提供している○○○旅館は、その店から手数料収入を得ることができる。
【００３４】
制御部５０は、インターネット４７及び通信部４８を介して管理装置１２から受け取ったサービス情報をメモリ４９に記憶させるとともに、改札リーダライタ４６に送る。改札リーダライタ４６は、サービス情報を周知の非接触通信でＩＣカード１１に発信する。ＩＣカード１１の制御部２６は、非接触通信部２９を介して改札リーダライタ４６から受け取ったサービス情報をメモリ２８に記憶する。
【００３５】
このように構成された情報提供システムの作用について、図６に示すフローチャートを参照して説明する。なお、以下の説明において、「ｓｔ」はステップであり、（ｓｔ１）は、図中の「ｓｔ１」に対応する。
【００３６】
客が○○○旅館に到着し、フロントでチェックインの手続を行なう（ｓｔ１）。フロントの係員は、客に記載してもらった客記録用紙に基づいて、客の個人情報を管理装置１２に入力する。受付リーダライタ４０に新しいＩＣカード１１をかざすと、ＩＣカード１１のメモリ２８に○○○旅館の名称、客の個人情報及びシリアルナンバが書き込まれる。フロントの係員は、ＩＣカード１１をカードキーとして客に貸与する（ｓｔ２）。
【００３７】
客が客室に到着し、ＩＣカード１１を客室リーダライタ４４にかざすと、ＩＣカード１１のシリアルナンバが使用制御部３５に送られ、シリアルナンバが客室の客室番号に対応しているか否かが判定される。シリアルナンバが客室番号に対応していれば、使用制御部３５から施錠装置４３に許可信号が送られ、ドア４２が解錠される（ｓｔ３）。これにより、客はドア４２を開け、客室内に入ることができる。また、ＩＣカード１１の有機ＥＬパネル２１に、嗜好等情報に対応したサービス情報が表示される（ｓｔ４）。
【００３８】
シリアルナンバが客室番号に対応していなければ、使用制御部３５から施錠装置４３に不許可信号が送られ、客はドア４２を開けることができず、「客室番号をご確認下さい」等の警告が施錠装置４３の表示部に表示される。
【００３９】
客が宿泊日程を消化してチェックアウト（ｓｔ５）する際に、客から返却されたＩＣカード１１をフロントの係員が受付リーダライタ４０にかざすと、ＩＣカード１１のメモリ２８から嗜好等情報を除く客の個人情報及びシリアルナンバが消去される（ｓｔ６）。この後、ＩＣカード１１が無償で客に引き渡されるから、客は、ＩＣカード１１を、運賃支払い用のＩＣカード１９が入っているカード入れ１８に入れる（ｓｔ７）。
【００４０】
客が自動改札機１３を通過する際に、カード入れ１８を自動改札機１３の改札リーダライタ４６の上にかざす（ｓｔ８）。カード入れ１８に一緒に入っているＩＣカード１１，１９及び改札リーダライタ４６は、アンチコリジョンに対応しているから、ＩＣカード１１からは嗜好等情報が、またＩＣカード１９からは乗車運賃支払い処理に必要な乗車駅名やチャージ残高等の情報が、互いに干渉することなく、改札リーダライタ４６に読み取られる。
【００４１】
乗車駅名やチャージ残高等の情報は、乗車運賃支払い処理に用いられ、チャージ残高不足等の場合には、自動改札機１３は、遮断板を作動させて、客の通過を阻止し、なんら問題がない場合には、客がそのまま通過するのを許容する。
【００４２】
ＩＣカード１１から読み込まれた嗜好等情報は、通信部４８及びインターネット４７を介して、管理装置１２に送られる（ｓｔ９）。管理装置１２は、送られた嗜好等情報に基づいて、データベース３４のサービス情報３９から、割引情報や各種広告等のサービス情報を自動改札機１３に送る（ｓｔ１０）。
【００４３】
制御部５０は、管理装置１２から送られたサービス情報を、メモリ４９に記憶するとともに、改札リーダライタ４６からＩＣカード１１へ発信する（ｓｔ１１）。ＩＣカード１１の非接触通信部２９は、改札リーダライタ４６からサービス情報を受信し（ｓｔ１２）、このサービス情報を制御部２６はメモリ２８に記憶する。
【００４４】
客がカード入れ１８を開くと（ｓｔ１３）、ポケット１８ａの縁から外に露呈されている一方の光センサ１６が光を感知して（ｓｔ１４）、有機ＥＬシート１５が発光する（ｓｔ１５）。客は、発光している有機ＥＬシート１５に気づき、ＩＣカード１１をカード入れ１８のポケット１８ａから取り出す。これにより、他方の光センサ１６も外に露呈され、両方の光センサ１６が光を感知するから（ｓｔ１６）、有機ＥＬパネル２１に新しいサービス情報が表示される（ｓｔ１７）。
【００４５】
客は、有機ＥＬパネル２１に表示されているサービス情報に目を通す。有機ＥＬパネル２１がサービス情報の表示を開始した時点から、タイマ３０が経過時間の計測を開始し、例えば３０秒が経過（ｓｔ１８）すると、制御部２６は、有機ＥＬシート１５及び有機ＥＬパネル２１の駆動を停止する（ｓｔ１９）。これにより、電池２７の無駄な消耗が防止される。
【００４６】
このように、情報を随時に更新することができるとともに、情報が更新されたことに容易に気づくことができる。また、宿泊施設を一度利用した客に、継続して広告等のサービス情報を提供することができ、宿泊施設及び客の双方にとって有益である。
【００４７】
なお、有機ＥＬシート１５，有機ＥＬパネル２１の各駆動を停止させる経過時間は、３０秒に限定されず、例えば１分でもよいし、また、それぞれの停止タイミングをずらしてもよい。例えば、最初の１０秒経過で有機ＥＬシート１５の駆動を停止し、この後、更に２０秒経過後に有機ＥＬパネル２１の駆動を停止するようにしてもよい。また、サービス情報の表示が開始された直後に、有機ＥＬシート１５の発光を停止するようにしてもよい。
【００４８】
また、情報が更新されている場合のみ、有機ＥＬシート１５を発光させるようにしてもよい。また、例えば、有機ＥＬパネル２１にタッチパネル機能を持たせ、有機ＥＬパネル２１の駆動が停止している状態でも、有機ＥＬパネル２１をタッチすれば、いつでも有機ＥＬパネル２１に情報を表示させることができるようにしてもよい。
【００４９】
以上説明した実施形態では、ＩＣカードの有機ＥＬパネルに表示されるサービス情報は、テキスト（図２参照）で表示されるようにしたが、本発明はこれに限定されることなく、例えば２次元バーコードを表示してもよい。このようにすると、例えば、携帯電話で２次元バーコードを読み込むと、携帯電話の液晶パネルにクーポン券が表示されるようになり、対応する店の店員に、携帯電話の液晶パネルに表示されているクーポン券を見せて、商品を値引きしてもらうというサービスを受けることができる。
【００５０】
上記実施形態では、情報を表示する有機ＥＬパネルとは別に、発光させることのみを目的とした有機ＥＬシートを設けたが、本発明はこれに限定されることなく、例えば、有機ＥＬシートを省略し、有機ＥＬパネルを発光させるようにしてもよい。
【００５１】
上記実施形態では、一対の光センサをカード本体の対角線上の隅角部に設けたが、本発明はこれに限定されることなく、ＩＣカードをカード入れに入れた状態で一対の光センサのうち一方のみが露呈されるのであれば、一対の光センサがどのように配置されていてもよい。
【００５２】
上記実施形態では、サービス情報を表示する表示部として、ドットマトリクス型の有機ＥＬパネルを採用したが、本発明はこれに限定されることなく、例えば、セグメント型の有機ＥＬパネルや、任意のカラー画像等も自在に表示できるアクティブ・マトリクス駆動の有機ＥＬディスプレイを用いてもよい。
【００５３】
上記実施形態では、宿泊施設で提供されたＩＣカードを用い、自動改札機で情報を更新する例を挙げたが、本発明はこれに限定されることなく、例えば、コンビニエンスストアでＩＣカードを発行し、提携しているコンビニエンスストアの各チェーン店に設置された情報提供装置で情報を更新するようにしてもよい。
【図面の簡単な説明】
【００５４】
【図１】本発明の情報提供システムの実施形態を示す説明図である。
【図２】ＩＣカードの表面の一例を示す説明図である。
【図３】ＩＣカードをカード入れに入れた状態を示す説明図である。
【図４】ＩＣカードの側面を示す説明図である。
【図５】ＩＣカードの電気的構成を示すブロック図である。
【図６】本実施形態の主なシーケンスを示すフローチャートである。
【符号の説明】
【００５５】
１０  情報提供システム
１１，１９  ＩＣカード
１２  管理装置
１３  自動改札機
１５  有機ＥＬシート
１６  光センサ
１８  カード入れ
２１  有機ＥＬパネル
２６，５０  制御部
２８，４９  メモリ
２９  非接触通信部
３０  タイマ
３７，４８  通信部
３４  データベース
３８  宿泊管理情報
３９  サービス情報
４０  受付リーダライタ
４４  客室リーダライタ
４６  改札リーダライタ
【図１】
2010102571.tif 000003
【図２】
2010102571.tif 000004
【図３】
2010102571.tif 000005
【図４】
2010102571.tif 000006
【図５】
2010102571.tif 000007
【図６】
2010102571.tif 000008